(57)【要約】【課題】必要な能力を確保しつつ小型化を図ることができる吸収式冷凍機を提供する。【解決手段】加熱源Ｈが供給されることによって構成される吸収液Ｓと冷媒Ｖとの吸収サイクルにより温度調節対象流体Ｃの冷却又は加熱を行う吸収式冷凍機１は、吸収式冷凍機１に供給される加熱源Ｈの単位時間あたりの量を調節する入熱量調節装置３３と、入熱量調節装置３３を制御する制御装置６０とを備える。制御装置６０は、吸収式冷凍機１に供給される加熱源Ｈの単位時間あたりの量の上限値として、定格条件における定格上限値と、定格上限値よりも大きい過大上限値とが記憶されていると共に、平常時は定格上限値の範囲内で入熱量調節装置３３を制御し、定格条件における定格出力よりも大きい出力で運転すべき指令を受けたときに過大上限値の範囲内で入熱量調節装置３３を制御する。【選択図】図１
2019020026.tif 000002
【特許請求の範囲】
【請求項１】
加熱源が供給されることによって構成される吸収液と冷媒との吸収サイクルにより温度調節対象流体の冷却又は加熱を行う吸収式冷凍機であって；
前記吸収式冷凍機に供給される前記加熱源の単位時間あたりの量を調節する入熱量調節装置と；
前記入熱量調節装置を制御する制御装置とを備え；
前記制御装置は、前記吸収式冷凍機に供給される前記加熱源の単位時間あたりの量の上限値として、定格条件における定格上限値と、前記定格上限値よりも大きい過大上限値とが記憶されていると共に、平常時は前記定格上限値の範囲内で前記入熱量調節装置を制御し、前記定格条件における定格出力よりも大きい出力で運転すべき指令を受けたときに前記過大上限値の範囲内で前記入熱量調節装置を制御するように構成された；
吸収式冷凍機。
【請求項２】
前記冷媒を吸収した前記吸収液を前記加熱源で加熱し、前記吸収液から前記冷媒を離脱させて濃度が上昇した濃溶液を生成する再生器と；
前記吸収液が前記冷媒の蒸気を吸収して濃度が低下した希溶液を生成する吸収器と；
前記吸収器から流出する前記希溶液の流量を直接又は間接的に調節する希溶液流量調節装置とを備え；
前記吸収液が前記再生器及び前記吸収器を通って循環するように構成され；
前記制御装置は、前記定格出力よりも大きい出力で運転すべき指令を受けたときに、前記吸収器から流出する前記希溶液の流量を前記定格条件における運転時よりも増加させるように前記希溶液流量調節装置を制御する；
請求項１に記載の吸収式冷凍機。
【請求項３】
前記冷媒を吸収した前記吸収液を前記加熱源で加熱し、前記吸収液から前記冷媒を離脱させて濃度が上昇した濃溶液を生成する再生器と；
前記吸収液が前記冷媒の蒸気を吸収して濃度が低下した希溶液を生成する吸収器と；
前記再生器から流出する前記濃溶液の流量を直接又は間接的に調節する濃溶液流量調節装置とを備え；
前記吸収液が前記再生器及び前記吸収器を通って循環するように構成され；
前記制御装置は、前記定格出力よりも大きい出力で運転すべき指令を受けたときに、前記再生器から流出する前記濃溶液の流量を前記定格条件における運転時よりも増加させるように前記濃溶液流量調節装置を制御する；
請求項１に記載の吸収式冷凍機。
【請求項４】
前記制御装置は、前記定格出力よりも大きい出力で運転すべき指令を受けたときに、前記吸収式冷凍機から流出する前記温度調節対象流体の温度の目標値を、前記吸収式冷凍機に導入された前記温度調節対象流体の温度との差が小さくなる方向に変更する；
請求項１乃至請求項３のいずれか１項に記載の吸収式冷凍機。
【請求項５】
前記冷媒を吸収した前記吸収液を前記加熱源で加熱して前記吸収液から前記冷媒を離脱させて濃度が上昇した濃溶液を生成する再生器から離脱した前記冷媒の蒸気を導入し、冷却水で前記冷媒の蒸気を冷却凝縮させて冷媒液を生成する凝縮器を備え；
前記制御装置は、前記定格出力よりも大きい出力で運転すべき指令を受けたときに、前記凝縮器に導入する前記冷却水の流量を前記定格条件における運転時よりも増加させるように、前記冷却水の流量を調節する冷却水流量調節装置を制御する；
請求項１乃至請求項４のいずれか１項に記載の吸収式冷凍機。
【請求項６】
前記制御装置は、前記定格出力よりも大きい出力で運転すべき指令を受けたときに、前記凝縮器に導入する前記冷却水の温度を前記定格条件における運転時よりも低下させるように、前記冷却水の温度を調節する冷却水温度調節装置を制御する；
請求項５に記載の吸収式冷凍機。
【請求項７】
前記冷媒を吸収した前記吸収液を前記加熱源で加熱して前記吸収液から前記冷媒を離脱させて濃度が上昇した濃溶液を生成する再生器から離脱した前記冷媒の蒸気を導入し、冷却水で前記冷媒の蒸気を冷却凝縮させて冷媒液を生成する凝縮器を備え；
前記制御装置は、前記定格出力よりも大きい出力で運転すべき指令を受けたときに、前記凝縮器に導入する前記冷却水の温度を前記定格条件における運転時よりも低下させるように、前記冷却水の温度を調節する冷却水温度調節装置を制御する；
請求項１乃至請求項４のいずれか１項に記載の吸収式冷凍機。
【請求項８】
前記制御装置は、前記定格出力よりも大きい出力で運転すべき指令がなくなったとき、前記定格出力よりも大きい出力で運転すべき指令を受けてから所定の時間が経過したとき、又は、前記定格出力よりも大きい出力で運転すべき指令を受けた時間の累計が所定の累計時間を超えたときに、前記定格上限値の範囲内で前記入熱量調節装置を制御するように構成された；
請求項１乃至請求項７のいずれか１項に記載の吸収式冷凍機。
【請求項９】
基準位置における前記温度調節対象流体の温度を検出する温度調節対象流体温度検出部と；
前記吸収式冷凍機の適切な運転を行うために監視する１つ以上の物理量を検出する監視物理量検出部と；
前記監視物理量検出部で検出した値が許容される上限値を超えたときに前記吸収式冷凍機の運転を停止させる又は前記吸収式冷凍機に供給される前記加熱源の単位時間あたりの量を所定の量に制限する安全制御手段とを備え；
前記制御装置は、前記温度調節対象流体温度検出部で検出した温度をあらかじめ設定された温度とするときに導入すべき前記加熱源の単位時間あたりの量と、前記監視物理量検出部で検出した値が前記安全制御手段において定められた前記上限値となるときに導入すべき前記加熱源の単位時間あたりの量と、を算出し、算出した前記加熱源の単位時間あたりの量のうちの最小の量を前記吸収式冷凍機に導入するように前記入熱量調節装置を制御する；
請求項１乃至請求項８のいずれか１項に記載の吸収式冷凍機。
【発明の詳細な説明】
【技術分野】
【０００１】
本発明は吸収式冷凍機に関し、特に必要な能力を確保しつつ小型化を図ることができる吸収式冷凍機に関する。
【背景技術】
【０００２】
吸収液と冷媒との吸収サイクルによって冷水の冷却又は温水の加熱を行う吸収式冷凍機は、再生器への入熱量（加熱用流体導入量又は燃焼量）を調節することにより、出力調節が行われる。吸収式冷凍機は、通常、定格の１００％を超えて再生器に熱が投入されないように入熱が制御される（例えば、特許文献１参照。）。
【先行技術文献】
【特許文献】
【０００３】
【特許文献１】特許第３６３０７７５号公報
【発明の概要】
【発明が解決しようとする課題】
【０００４】
吸収式冷凍機は、通常、定格の１００％で運転したときに、処理する最大熱負荷に対応できるように容量を選定する。しかしながら、最大熱負荷を処理する機会は運転時間の約１％といわれており、部分負荷運転がそのほとんどを占める。わずかな機会のために、定格運転で最大熱負荷を処理できる容量を選定することは、効率的とはいえない。
【０００５】
本発明は上述の課題に鑑み、必要な能力を確保しつつ小型化を図ることができる吸収式冷凍機を提供することを目的とする。
【課題を解決するための手段】
【０００６】
上記目的を達成するために、本発明の第１の態様に係る吸収式冷凍機は、例えば図１に示すように、加熱源Ｈが供給されることによって構成される吸収液Ｓと冷媒Ｖとの吸収サイクルにより温度調節対象流体Ｃの冷却又は加熱を行う吸収式冷凍機１であって；吸収式冷凍機１に供給される加熱源Ｈの単位時間あたりの量を調節する入熱量調節装置３３と；入熱量調節装置３３を制御する制御装置６０とを備え；制御装置６０は、吸収式冷凍機１に供給される加熱源Ｈの単位時間あたりの量の上限値として、定格条件における定格上限値と、定格上限値よりも大きい過大上限値とが記憶されていると共に、平常時は定格上限値の範囲内で入熱量調節装置３３を制御し、定格条件における定格出力よりも大きい出力で運転すべき指令を受けたときに過大上限値の範囲内で入熱量調節装置３３を制御するように構成されている。
【０００７】
このように構成すると、過大上限値の範囲内で入熱量調節装置を制御したときに最大熱負荷を処理可能な容量を選定することができ、必要な能力を確保しつつ吸収式冷凍機の小型化を図ることができる。
【０００８】
また、本発明の第２の態様に係る吸収式冷凍機は、例えば図１に示すように、上記本発明の第１の態様に係る吸収式冷凍機１において、冷媒Ｖｅを吸収した吸収液Ｓｗを加熱源Ｈで加熱し、吸収液Ｓｗから冷媒Ｖｇを離脱させて濃度が上昇した濃溶液Ｓａを生成する再生器３０と；吸収液Ｓａが冷媒の蒸気Ｖｅを吸収して濃度が低下した希溶液Ｓｗを生成する吸収器１０と；吸収器１０から流出する希溶液Ｓｗの流量を直接又は間接的に調節する希溶液流量調節装置１９とを備え；吸収液Ｓｗ、Ｓａが再生器３０及び吸収器１０を通って循環するように構成され；制御装置６０は、定格出力よりも大きい出力で運転すべき指令を受けたときに、吸収器１０から流出する希溶液Ｓｗの流量を定格条件における運転時よりも増加させるように希溶液流量調節装置１９を制御する。
【０００９】
このように構成すると、定格出力よりも大きい出力で運転したときに、吸収液が過度に濃くなることを抑制することができると共に再生器内部圧力の上昇を抑制することができ、運転を継続できなくなる事態の発生を抑制することができる。
【００１０】
また、本発明の第３の態様に係る吸収式冷凍機は、例えば図１に示すように、上記本発明の第１の態様に係る吸収式冷凍機１において、冷媒Ｖｅを吸収した吸収液Ｓｗを加熱源Ｈで加熱し、吸収液Ｓｗから冷媒Ｖｇを離脱させて濃度が上昇した濃溶液Ｓａを生成する再生器３０と；吸収液Ｓａが冷媒の蒸気Ｖｅを吸収して濃度が低下した希溶液Ｓｗを生成する吸収器１０と；再生器３０から流出する濃溶液Ｓａの流量を直接又は間接的に調節する濃溶液流量調節装置１５とを備え；吸収液Ｓｗ、Ｓａが再生器３０及び吸収器１０を通って循環するように構成され；制御装置６０は、定格出力よりも大きい出力で運転すべき指令を受けたときに、再生器３０から流出する濃溶液Ｓａの流量を定格条件における運転時よりも増加させるように濃溶液流量調節装置１５を制御する。
【００１１】
このように構成すると、定格出力よりも大きい出力で運転したときに、吸収液が過度に濃くなることを抑制することができると共に再生器内部圧力の上昇を抑制することができ、運転を継続できなくなる事態の発生を抑制することができる。
【００１２】
また、本発明の第４の態様に係る吸収式冷凍機は、例えば図１を参照して示すと、上記本発明の第１の態様乃至第３の態様のいずれか１つの態様に係る吸収式冷凍機１において、制御装置６０は、定格出力よりも大きい出力で運転すべき指令を受けたときに、吸収式冷凍機１から流出する温度調節対象流体Ｃの温度の目標値を、吸収式冷凍機１に導入された温度調節対象流体Ｃの温度との差が小さくなる方向に変更する。
【００１３】
このように構成すると、定格出力よりも大きい出力で運転したときに、吸収液が過度に濃くなることを抑制することができ、運転を継続できなくなる事態の発生を抑制することができる。
【００１４】
また、本発明の第５の態様に係る吸収式冷凍機は、例えば図１に示すように、上記本発明の第１の態様乃至第４の態様のいずれか１つの態様に係る吸収式冷凍機１において、冷媒Ｖｅを吸収した吸収液Ｓｗを加熱源Ｈで加熱して吸収液Ｓｗから冷媒Ｖｇを離脱させて濃度が上昇した濃溶液Ｓａを生成する再生器３０から離脱した冷媒の蒸気Ｖｇを導入し、冷却水Ｄで冷媒の蒸気Ｖｇを冷却凝縮させて冷媒液Ｖｆを生成する凝縮器４０を備え；制御装置６０は、定格出力よりも大きい出力で運転すべき指令を受けたときに、凝縮器４０に導入する冷却水Ｄの流量を定格条件における運転時よりも増加させるように、冷却水Ｄの流量を調節する冷却水流量調節装置９１を制御する。
【００１５】
このように構成すると、定格出力よりも大きい出力で運転したときに、吸収液が過度に濃くなることを抑制することができ、運転を継続できなくなる事態の発生を抑制することができる。
【００１６】
また、本発明の第６の態様に係る吸収式冷凍機は、例えば図１を参照して示すと、上記本発明の第５の態様に係る吸収式冷凍機１において、制御装置６０は、定格出力よりも大きい出力で運転すべき指令を受けたときに、凝縮器４０に導入する冷却水Ｄの温度を定格条件における運転時よりも低下させるように、冷却水Ｄの温度を調節する冷却水温度調節装置９３を制御する。
【００１７】
このように構成すると、定格出力よりも大きい出力で運転したときに、吸収液が過度に濃くなることを抑制することができ、運転を継続できなくなる事態の発生を抑制することができる。
【００１８】
また、本発明の第７の態様に係る吸収式冷凍機は、例えば図１に示すように、上記本発明の第１の態様乃至第４の態様のいずれか１つの態様に係る吸収式冷凍機１において、冷媒Ｖｅを吸収した吸収液Ｓｗを加熱源Ｈで加熱して吸収液Ｓｗから冷媒Ｖｇを離脱させて濃度が上昇した濃溶液Ｓａを生成する再生器３０から離脱した冷媒の蒸気Ｖｇを導入し、冷却水Ｄで冷媒の蒸気Ｖｇを冷却凝縮させて冷媒液Ｖｆを生成する凝縮器４０を備え；制御装置６０は、定格出力よりも大きい出力で運転すべき指令を受けたときに、凝縮器４０に導入する冷却水Ｄの温度を定格条件における運転時よりも低下させるように、冷却水Ｄの温度を調節する冷却水温度調節装置９３を制御する。
【００１９】
このように構成すると、定格出力よりも大きい出力で運転したときに、吸収液が過度に濃くなることを抑制することができ、運転を継続できなくなる事態の発生を抑制することができる。
【００２０】
また、本発明の第８の態様に係る吸収式冷凍機は、例えば図１を参照して示すと、上記本発明の第１の態様乃至第７の態様のいずれか１つの態様に係る吸収式冷凍機１において、制御装置６０は、定格出力よりも大きい出力で運転すべき指令がなくなったとき、定格出力よりも大きい出力で運転すべき指令を受けてから所定の時間が経過したとき、又は、定格出力よりも大きい出力で運転すべき指令を受けた時間の累計が所定の累計時間を超えたときに、定格上限値の範囲内で入熱量調節装置３３を制御するように構成されている。
【００２１】
このように構成すると、定格出力での運転時よりも効率が低下する、定格出力よりも大きい出力での運転を所定の時間又は所定の累計時間内に抑制するので、効率の低下を抑制することができる。
【００２２】
また、本発明の第９の態様に係る吸収式冷凍機は、例えば図１に示すように、上記本発明の第１の態様乃至第８の態様のいずれか１つの態様に係る吸収式冷凍機１において、基準位置における温度調節対象流体Ｃの温度を検出する温度調節対象流体温度検出部５４と；吸収式冷凍機１の適切な運転を行うために監視する１つ以上の物理量を検出する監視物理量検出部１６、２５、４５、５１、５３、５５と；監視物理量検出部１６、２５、４５、５１、５３、５５で検出した値が許容される上限値を超えたときに吸収式冷凍機１の運転を停止させる又は吸収式冷凍機１に供給される加熱源Ｈの単位時間あたりの量を所定の量に制限する安全制御手段６５とを備え；制御装置６０は、温度調節対象流体温度検出部５４で検出した温度をあらかじめ設定された温度とするときに導入すべき加熱源Ｈの単位時間あたりの量と、監視物理量検出部１６、２５、４５、５１、５３、５５で検出した値が安全制御手段６５において定められた上限値となるときに導入すべき加熱源Ｈの単位時間あたりの量と、を算出し、算出した加熱源Ｈの単位時間あたりの量のうちの最小の量を吸収式冷凍機１に導入するように入熱量調節装置３３を制御する。
【００２３】
このように構成すると、監視物理量検出部で検出した値が許容される上限値以下となるように制御されることとなり、吸収式冷凍機を継続して運転させることができる。
【発明の効果】
【００２４】
本発明によれば、過大上限値の範囲内で入熱量調節装置を制御したときに最大熱負荷を処理可能な容量を選定することができ、必要な能力を確保しつつ吸収式冷凍機の小型化を図ることができる。
【図面の簡単な説明】
【００２５】
【図１】本発明の実施の形態に係る吸収冷凍機の模式的系統図である。
【図２】安全制御部の指令に基づく吸収冷凍機の停止を極力回避する制御を説明するフローチャートである。
【図３】安全制御部の指令に基づく吸収冷凍機の停止を極力回避する制御を説明するタイムチャートである。
【発明を実施するための形態】
【００２６】
以下、図面を参照して本発明の実施の形態について説明する。なお、各図において互いに同一又は相当する部材には同一あるいは類似の符号を付し、重複した説明は省略する。
【００２７】
本明細書において、「吸収式冷凍機」は、再生器に加熱源を供給することによって、再生器、凝縮器、吸収器、蒸発器などによる吸収サイクルを構成し、温度調節対象流体の冷却又は加熱を行う吸収式熱源機の総称であり、加熱源を再生器に供給して吸収冷凍サイクルを構成し、冷水（冷却された温度調節対象流体）を供給する機械である吸収冷凍機、加熱源を再生器に供給して吸収サイクルを構成し、冷水（冷却された温度調節対象流体）及び／又は温水（加熱された温度調節対象流体）を供給する機械である吸収冷温水機、及び加熱源を再生器に供給して吸収ヒートポンプサイクルを構成し、蒸発器で熱源水から熱を回収することによって、少なくとも吸収器で加熱された温度調節対象流体を供給する機械である吸収ヒートポンプを含むものである。以下、吸収式冷凍機は、その一形態である吸収冷凍機であるとして説明する。
【００２８】
まず図１を参照して、本発明の実施の形態に係る吸収冷凍機１を説明する。図１は、吸収冷凍機１の模式的系統図である。吸収冷凍機１は、吸収冷凍サイクルを行う主要構成機器として、吸収器１０と、蒸発器２０と、再生器３０と、凝縮器４０とを備えていると共に、制御装置６０を備えている。吸収冷凍機１は、吸収液Ｓに対して冷媒Ｖが相変化をしながら循環することで熱移動を行わせ、温度調節対象流体である冷水Ｃの温度を低下させる機器である。以下の説明において、吸収液に関し、吸収冷凍サイクル上における区別を容易にするために、性状や吸収冷凍サイクル上の位置に応じて、「希溶液Ｓｗ」、「濃溶液Ｓａ」等と呼称するが、性状等を不問にするときは総称して「吸収液Ｓ」ということとする。また、冷媒に関し、吸収冷凍サイクル上における区別を容易にするために、性状や吸収冷凍サイクル上の位置に応じて、「蒸発器冷媒蒸気Ｖｅ」、「再生器冷媒蒸気Ｖｇ」、「冷媒液Ｖｆ」等と呼称するが、性状等を不問にするときは総称して「冷媒Ｖ」ということとする。本実施の形態では、吸収液Ｓ（吸収剤と冷媒との混合物）としてＬｉＢｒ水溶液が用いられており、冷媒Ｖとして水（Ｈ２Ｏ）が用いられているが、これに限らず他の冷媒、溶液（吸収剤）の組み合わせで使用してもよい。
【００２９】
吸収器１０は、蒸発器２０で発生した蒸発器冷媒蒸気Ｖｅを濃溶液Ｓａで吸収する機器である。吸収器１０は、冷却水Ｄを流す冷却水流路としての冷却管１１と、濃溶液Ｓａを冷却管１１の外面に向けて散布する濃溶液散布ノズル１２とを、吸収器缶胴１７の内部に有している。濃溶液散布ノズル１２は、散布した濃溶液Ｓａが冷却管１１に降りかかるように、冷却管１１の上方に配設されている。吸収器１０は、散布された濃溶液Ｓａが蒸発器冷媒蒸気Ｖｅを吸収することで濃度の低下した希溶液Ｓｗを吸収器缶胴１７の下部の貯留部１３に貯留すると共に、濃溶液Ｓａが蒸発器冷媒蒸気Ｖｅを吸収した際に発生した吸収熱を冷却水Ｄが奪うように構成されている。吸収器１０は、貯留部１３内の希溶液Ｓｗの液位を検出する希溶液位計１６を有している。
【００３０】
蒸発器２０は、冷水Ｃの熱で冷媒液Ｖｆを蒸発させて蒸発器冷媒蒸気Ｖｅを発生させることにより冷水Ｃを冷却する機器である。蒸発器２０は、冷水Ｃを流す冷水流路としての蒸発管２１と、冷媒液Ｖｆを蒸発管２１の外面に向けて散布する冷媒液散布ノズル２２とを、蒸発器缶胴２７の内部に有している。冷媒液散布ノズル２２は、散布した冷媒液Ｖｆが蒸発管２１に降りかかるように、蒸発管２１の上方に配設されている。蒸発器２０は、蒸発器缶胴２７の下部の貯留部２３に貯留されている冷媒液Ｖｆを冷媒液散布ノズル２２に導く冷媒液管２８と、冷媒液管２８内の冷媒液Ｖｆを冷媒液散布ノズル２２に送る冷媒ポンプ２９とを有している。また、蒸発器２０は、貯留部２３内の冷媒液Ｖｆの液位を検出する蒸発器冷媒液位計２５を有している。蒸発器２０は、蒸発管２１の外面に散布された冷媒液Ｖｆが蒸発して蒸発器冷媒蒸気Ｖｅとなるための気化熱を、蒸発管２１内を流れる冷水Ｃから奪うことで冷水Ｃを冷却し、散布された冷媒液Ｖｆのうち蒸発しなかった冷媒液Ｖｆが蒸発器缶胴２７の貯留部２３に貯留されるように構成されている。
【００３１】
本実施の形態では、吸収器１０と蒸発器２０とは隣接して配置されており、吸収器缶胴１７の上部と蒸発器缶胴２７の上部とが連通している。このような構成により、蒸発器缶胴２７の内部で発生した蒸発器冷媒蒸気Ｖｅを吸収器缶胴１７の内部に導くことができるようになっている。冷却管１１には、冷却水Ｄを導入する冷却水入口管１１ａが一端に接続されている。冷却管１１の他端には、冷却水連絡管５８が接続されている。冷却水入口管１１ａには、吸収冷凍機１外の冷却水往管９８が接続される。冷却水往管９８は、吸収冷凍機１外の冷却塔９３に接続されている。冷却塔９３は、ファンの回転速度が可変に構成されており、ファンの回転速度を適宜変更して冷却水Ｄの温度を変えることができるようになっている。冷却塔９３は、冷却水温度調節装置に相当する。冷却水往管９８には、吸収冷凍機１外の冷却水ポンプ９１が配設されている。冷却水ポンプ９１は、回転速度が可変に構成されており、回転速度を適宜変更して吐出される冷却水Ｄの流量を変えることができるようになっている。冷却水ポンプ９１は、冷却水流量調節装置に相当する。吸収冷凍機１は、冷却水ポンプ９１の稼働により、冷却管１１内を冷却水Ｄが流動するように構成されている。蒸発管２１には、冷水Ｃを導入する冷水入口管２１ａが一端に接続され、冷水Ｃを流出させる冷水出口管２１ｂが他端に接続されている。本実施の形態では、冷水出口管２１ｂに、温度調節対象流体温度検出部としての冷水温度計５４が設けられている。つまり、本実施の形態では、吸収冷凍機１の出口が基準位置となる。冷水入口管２１ａには、吸収冷凍機１外の冷水還管９５が接続される。冷水還管９５には、吸収冷凍機１外の冷水ポンプ９２が配設されている。吸収冷凍機１は、冷水ポンプ９２の稼働により、蒸発管２１内を冷水Ｃが流動するように構成されている。冷水出口管２１ｂには、吸収冷凍機１外の冷水往管９６が接続される。
【００３２】
再生器３０は、希溶液Ｓｗを導入し、加熱することで、希溶液Ｓｗ中の冷媒Ｖを離脱させ、濃溶液Ｓａを生成する機器である。再生器３０において、希溶液Ｓｗから離脱した冷媒Ｖは蒸気の状態であり、この冷媒Ｖの蒸気を再生器冷媒蒸気Ｖｇということとする。再生器３０は、希溶液Ｓｗを加熱する加熱部３１と、導入した吸収液Ｓを貯留する再生器缶胴３７とを有している。加熱部３１は、再生器缶胴３７の内部に配設されている。加熱部３１は、典型的には、バーナーの燃焼熱、外部から導入した蒸気や温水等の熱で、吸収液Ｓを加熱することができるように構成されている。加熱部３１には、加熱源としての加熱源流体Ｈを流す加熱源流体管３２が接続されている。加熱源流体Ｈは、典型的には、加熱部３１がバーナーの燃焼熱を発生する場合はガスや油等の燃料流体が用いられ、加熱部３１において外部から導入した流体が保有する熱が放出される場合は蒸気や温水等の加熱流体が用いられる。加熱源流体管３２には、加熱部３１に流入する加熱源流体Ｈの流量を調節する加熱源調節弁３３が配設されている。加熱源調節弁３３は、入熱量調節装置に相当する。再生器３０には、再生器缶胴３７の内部の気相部の圧力を検出する再生器圧力計５５が設けられている。再生器缶胴３７には、希溶液Ｓｗを導入する希溶液管１８が底部に、生成された濃溶液Ｓａを流出する濃溶液管３８が上部側面に、それぞれ接続されている。再生器３０は、再生器缶胴３７の底部から流入した希溶液Ｓｗが、加熱部３１で加熱されて上昇しながら徐々に濃縮して濃溶液Ｓａとなり、濃溶液管３８の液位に達した濃溶液Ｓａが再生器缶胴３７から流出するように構成されている。再生器３０として、貫流式再生器や煙管型再生器、液管型再生器等を用いることができる。
【００３３】
凝縮器４０は、再生器３０で希溶液Ｓｗから蒸発した再生器冷媒蒸気Ｖｇを導入し冷却して凝縮させ、蒸発器２０に送る冷媒液Ｖｆを生成する機器である。凝縮器４０は、冷却水Ｄの流路を形成する部材である凝縮管４１を、凝縮器缶胴４７の内部に有している。凝縮器４０は、生成した冷媒液Ｖｆを、凝縮器缶胴４７の下部の貯留部４３に貯留するように構成されている。凝縮器４０は、貯留部４３内の冷媒液Ｖｆの液位を検出する凝縮器冷媒液位計４５を有している。凝縮管４１の一端には、一端が冷却管１１に接続されている冷却水連絡管５８の他端が接続されている。凝縮管４１の他端には、冷却水Ｄを流出させる冷却水出口管４１ｂが接続されている。冷却水出口管４１ｂには、吸収冷凍機１外の冷却水還管９９が接続される。冷却水還管９９は、吸収冷凍機１外の冷却塔９３に接続されている。このような構成により、冷却水還管９９を流れる冷却水Ｄは、冷却塔９３で冷却されて冷却水往管９８に供給されるように構成されている。
【００３４】
凝縮器缶胴４７は、再生器缶胴３７に近接して配設されている。本実施の形態では、再生器缶胴３７の上部と凝縮器缶胴４７の上部とは、再生器冷媒蒸気流路３５を介して連通している。凝縮器４０は、再生器冷媒蒸気流路３５を介して再生器３０から再生器冷媒蒸気Ｖｇを導入し、凝縮管４１を流れる冷却水Ｄに再生器冷媒蒸気Ｖｇの熱を奪わせて、再生器冷媒蒸気Ｖｇを凝縮させて冷媒液Ｖｆにするように構成されている。本実施の形態では、凝縮器缶胴４７及び再生器缶胴３７は、蒸発器缶胴２７及び吸収器缶胴１７の上方に配設されている。凝縮器缶胴４７の貯留部４３と蒸発器缶胴２７とは、凝縮冷媒液管４８で接続されており、凝縮器缶胴４７内の冷媒液Ｖｆを位置ヘッド及び両者の内圧の差で蒸発器缶胴２７内に導くことができるように構成されている。
【００３５】
吸収器缶胴１７の貯留部１３と、再生器缶胴３７とは、希溶液管１８で接続されている。希溶液管１８には、溶液ポンプ１９が配設されている。溶液ポンプ１９は、回転速度が可変に構成されており、回転速度を適宜変更して吐出される希溶液Ｓｗの流量を変えることができるようになっている。吐出される希溶液Ｓｗの流量を変えることができる溶液ポンプ１９は、希溶液流量調節装置に相当する。吸収冷凍機１は、溶液ポンプ１９により、吸収器缶胴１７の希溶液Ｓｗを再生器缶胴３７内に搬送することができるように構成されている。再生器缶胴３７内では、導入された希溶液Ｓｗが、入口から出口に移動するに連れて希溶液Ｓｗ中から冷媒Ｖが離脱して濃度が上昇するようになっている。
【００３６】
再生器缶胴３７の濃溶液Ｓａが流出する部分と、吸収器１０の濃溶液散布ノズル１２とは、濃溶液管３８で接続されている。吸収冷凍機１は、溶液ポンプ１９によって希溶液Ｓｗが再生器缶胴３７に搬送され、再生器缶胴３７内で冷媒Ｖが離脱して生成された濃溶液Ｓａが、濃溶液管３８を介して濃溶液散布ノズル１２に導入されるように構成されている。つまり、溶液ポンプ１９は、吸収器１０と再生器３０との間で吸収液Ｓを循環させることができる。濃溶液管３８には、濃溶液散布ノズル１２に導入される濃溶液Ｓａの流量を調節する濃溶液調節弁１５と、再生器３０の出口の濃溶液Ｓａの温度を検出する濃溶液温度計５１と、再生器３０の出口の濃溶液Ｓａの濃度を検出する濃溶液濃度計５３とが設けられている。濃溶液調節弁１５は、濃溶液流量調節装置に相当する。希溶液管１８及び濃溶液管３８には、希溶液管１８を流れる希溶液Ｓｗと濃溶液管３８を流れる濃溶液Ｓａとの間で熱交換を行わせる溶液熱交換器８１が挿入されて配置されている。
【００３７】
制御装置６０は、吸収冷凍機１の動作を制御する機器である。制御装置６０は、溶液ポンプ１９、冷媒ポンプ２９、冷却水ポンプ９１、冷水ポンプ９２、冷却塔９３と、それぞれ有線又は無線で電気的に接続されており、これらの発停を制御することができるように構成されている。また、制御装置６０は、希溶液位計１６、蒸発器冷媒液位計２５及び凝縮器冷媒液位計４５と、それぞれ有線又は無線で電気的に接続されており、検出された液位を信号として受信することができるように構成されている。また、制御装置６０は、濃溶液温度計５１及び冷水温度計５４と、それぞれ有線又は無線で電気的に接続されており、検出された温度を信号として受信することができるように構成されている。また、制御装置６０は、濃溶液濃度計５３と有線又は無線で電気的に接続されており、検出された濃度を信号として受信することができるように構成されている。また、制御装置６０は、再生器圧力計５５と有線又は無線で電気的に接続されており、検出された圧力を信号として受信することができるように構成されている。
【００３８】
また、制御装置６０は、濃溶液調節弁１５及び加熱源調節弁３３と、それぞれ有線又は無線で電気的に接続されており、これらの弁の開度を調節することができるように構成されている。また、制御装置６０には、加熱部３１に供給される加熱源流体Ｈの流量に関して、定格上限値と過大上限値との２種類の上限値が記憶されている。定格上限値は、定格条件における吸収冷凍機１の運転の際に加熱部３１に供給される加熱源流体Ｈの上限値であり、典型的には定格の１００％のときの流量である。定格条件は、吸収冷凍機１の仕様に応じて適宜決まる、吸収冷凍機１を適正に動作させるための条件である。定格の１００％の運転は、最も効率よく運転できる状態である。過大上限値は、吸収冷凍機１を定格出力よりも大きい出力で運転する際に加熱部３１に供給される加熱源流体Ｈの上限値であり、定格上限値よりも大きい値である。一般に、吸収冷凍機１を定格出力よりも大きい出力で運転すると定格条件のときの運転よりも効率は落ちるが、熱負荷の増加等により一時的に大きな出力が必要な場合に有効である。定格出力よりも大きな出力で運転するために加熱部３１における発熱量を増加させると、例えば吸収液Ｓの濃縮等により吸収冷凍機１の適切な運転が阻害されるおそれが生じるため、加熱部３１に供給する加熱源流体Ｈの流量の上限値（過大上限値）を定めている。このように、吸収冷凍機１は、過大上限値の範囲で運転することによって定格出力よりも大きい出力で運転することが可能になるため、最大熱負荷を、定格上限値における運転では十分に処理することが困難であるが、過大上限値における運転で処置できる容量のものを選定することができ、定格運転で最大熱負荷を処理できる容量のものを選定するよりも、小型化（典型的には外形寸法及び／又は設置面積を小さくすること）を図ることができ、導入コスト削減にも寄与する。定格出力よりも大きな出力での運転は、吸収冷凍機１の適切な運転が阻害されることを抑制するため、１回あたりの運転時間及び／又は累積運転時間を制限することが好ましい。制御装置６０は、加熱部３１に供給される加熱源流体Ｈの流量が、定格上限値又は過大上限値の範囲内となるように、加熱源調節弁３３の開度を制御する。
【００３９】
また、制御装置６０は、本実施の形態では、安全制御部６５を有している。安全制御部６５は、吸収冷凍機１の適切な運転を行うために特定の物理量を監視し、監視している物理量が許容される上限値を超えたときに吸収冷凍機１の運転を停止させる指令を出すものである。安全制御部６５が監視する物理量として、本実施の形態では、吸収液Ｓの温度、吸収液Ｓの濃度、再生器３０の内部圧力、吸収器１０の貯留部１３の液位、蒸発器２０の貯留部２３の液位、凝縮器４０の貯留部４３の液位を採用している。なお、本実施の形態では、安全制御部６５を、機能の観点から概念的に制御装置６０の中で区別して表現しているが、安全制御部６５が制御装置６０内に渾然一体に構成されていてもよく、安全制御部６５が制御装置６０に対して物理的に別体に構成されていてもよい。このような安全制御部６５を含む制御装置６０は、後述する吸収冷凍機１の作用で説明するような吸収冷凍機１の制御を行うことができるように構成されている。
【００４０】
引き続き図１を参照して、吸収冷凍機１の作用を説明する。まず、吸収冷凍機１の定常運転時の作用を説明する。吸収冷凍機１の定常運転時は、制御装置６０からの指令により、溶液ポンプ１９、冷媒ポンプ２９、冷却水ポンプ９１、冷水ポンプ９２、冷却塔９３がそれぞれ稼働している。冷媒Ｖ側のサイクルについて見ると、再生器冷媒蒸気流路３５を介して再生器３０から凝縮器４０に導入された再生器冷媒蒸気Ｖｇは、凝縮管４１を流れる冷却水Ｄに冷却されて凝縮し、冷媒液Ｖｆとなって凝縮器缶胴４７の貯留部４３に貯留される。再生器冷媒蒸気Ｖｇを冷却した冷却水Ｄは、温度が上昇して冷却水還管９９から流出し、冷却塔９３に供給される。凝縮器缶胴４７内の冷媒液Ｖｆは、凝縮冷媒液管４８を介して蒸発器缶胴２７内に導入される。
【００４１】
凝縮器缶胴４７から蒸発器缶胴２７に導入された冷媒液Ｖｆは、冷媒液散布ノズル２２から散布されて蒸発しなかった冷媒液Ｖｆと混合して蒸発器缶胴２７の貯留部２３に貯留される。蒸発器缶胴２７内の冷媒液Ｖｆは、冷媒ポンプ２９により、冷媒液管２８を流れて冷媒液散布ノズル２２に至る。冷媒液散布ノズル２２に至った冷媒液Ｖｆは、蒸発管２１に向けて散布され、蒸発管２１を流れる冷水Ｃの熱を得て一部が蒸発して蒸発器冷媒蒸気Ｖｅとなり、吸収器缶胴１７に導入される。散布された冷媒液Ｖｆに熱を奪われた冷水Ｃは、温度が低下して冷水往管９６から流出し、空気調和機等の冷水Ｃの利用場所に供給される。冷媒液散布ノズル２２から散布されて蒸発しなかった冷媒液Ｖｆは、凝縮器缶胴４７から導入された冷媒液Ｖｆと混合して蒸発器缶胴２７の貯留部２３に貯留される。
【００４２】
次に吸収冷凍機１の溶液Ｓ側のサイクルを見ると、吸収器缶胴１７内の貯留部１３に貯留されている希溶液Ｓｗは、溶液ポンプ１９により、希溶液管１８を流れ、溶液熱交換器８１で温度が上昇した後に、再生器缶胴３７に導入される。再生器缶胴３７に導入された希溶液Ｓｗは、加熱部３１によって加熱され、冷媒Ｖが離脱して濃溶液Ｓａとなる。他方、希溶液Ｓｗから離脱した冷媒Ｖは、再生器冷媒蒸気Ｖｇとして、再生器冷媒蒸気流路３５を介して凝縮器缶胴４７内に送られる。再生器缶胴３７内で生成された濃溶液Ｓａは、濃溶液管３８を流れ、溶液熱交換器８１において希溶液Ｓｗと熱交換して温度が低下したうえで濃溶液散布ノズル１２に至る。
【００４３】
濃溶液散布ノズル１２に至った濃溶液Ｓａは、冷却管１１に向けて散布され、蒸発器２０から導入された蒸発器冷媒蒸気Ｖｅを吸収し濃度が低下して希溶液Ｓｗとなる。吸収器缶胴１７内において、濃溶液Ｓａが蒸発器冷媒蒸気Ｖｅを吸収する際には吸収熱が発生する。この発生した吸収熱は、冷却水往管９８から導入されて冷却管１１を流れる冷却水Ｄによって除去される。冷却管１１を流れる冷却水Ｄは、吸収熱を奪って温度上昇して冷却水連絡管５８に流出し、凝縮器４０の凝縮管４１に供給される。吸収器缶胴１７内で生じた希溶液Ｓｗは、吸収器缶胴１７内の貯留部１３に貯留される。
【００４４】
上述のような吸収冷凍機１の運転を行っている際、制御装置６０は、平常時は、冷水温度計５４で検出した温度が設定済の温度になるように、定格上限値の範囲内で加熱源調節弁３３の開度を調節することで加熱部３１における加熱量を調節する。定格上限値の範囲内で加熱源調節弁３３の開度を大きくすると、加熱部３１に供給される加熱源流体Ｈの流量が増加し、加熱部３１における加熱量が増大して、再生器３０で生成される濃溶液Ｓａの濃度が上昇する。この濃度が上昇した濃溶液Ｓａが吸収器１０に搬送されて散布されると、濃溶液Ｓａに吸収される蒸発器冷媒蒸気Ｖｅの流量が増加し、蒸発器２０における蒸発器冷媒蒸気Ｖｅの生成量が増加して、冷水Ｃから奪われる熱量が増大する結果、冷水Ｃの温度は低下する。反対に、加熱源調節弁３３の開度を小さくすると、加熱部３１における加熱量が減少し、濃溶液Ｓａの濃度が低下して、濃溶液Ｓａに吸収される蒸発器冷媒蒸気Ｖｅの流量が減少することに伴って蒸発器冷媒蒸気Ｖｅの生成量が減少する結果、冷水Ｃから奪われる熱量が減少して冷水Ｃの温度は上昇する。
【００４５】
そして、定格条件での吸収冷凍機１の運転中、冷水Ｃの供給先における熱負荷が増大した等により、定格出力よりも大きい出力での吸収冷凍機１の運転が求められることがある。制御装置６０は、定格出力よりも大きい出力で運転すべき指令を受けたときに、これまで定格上限値の範囲内で行っていた加熱源調節弁３３の開度の調節を、過大上限値の範囲内で行うように切り換える。過大上限値の範囲内で加熱源調節弁３３の開度を調節することとすると、定格上限値の範囲内で行っていた場合に比べて、加熱部３１に供給される加熱源流体Ｈの流量を増加させることができ、蒸発器２０において冷媒Ｖが冷水Ｃから奪う熱量を増加させることができて、定格出力よりも大きい出力で運転することができる。なお、吸収冷凍機１を定格出力よりも大きい出力で運転する場合に、加熱源調節弁３３の開度を大きくするほか、以下に列挙するものの１つ以上を併せて行うとよい。
【００４６】
第１に、制御装置６０は、濃溶液調節弁１５の開度を大きくして、濃溶液Ｓａの循環流量を増大させる。濃溶液Ｓａの循環流量を増大させると、濃溶液Ｓａの濃度が過度に濃くなることを抑制することができると共に、再生器缶胴３７内の圧力の上昇を抑制することができる。なお、濃溶液Ｓａの循環流量を増大させた場合は、吸収器１０に流入する吸収液Ｓの流量が増加するため、吸収器缶胴１７の貯留部１３の液位を安定させるために、吸収器１０から流出する希溶液Ｓｗの流量を増加させることが好ましい。
【００４７】
第２に、制御装置６０は、溶液ポンプ１９の回転速度を上昇させて、吸収器１０から再生器３０へ搬送される希溶液Ｓｗの流量を増加させる。希溶液Ｓｗの流量を増加させると、吸収液Ｓの濃度が過度に濃くなることを抑制することができると共に、再生器缶胴３７内の圧力の上昇を抑制することができる。なお、吸収器１０から再生器３０へ搬送される希溶液Ｓｗの流量が増加すると、再生器缶胴３７内における吸収液Ｓの液位上昇速度も上昇するため、再生器缶胴３７から流出する濃溶液Ｓａの流量が増加し、結果として濃溶液Ｓａの循環流量が増大することとなる。
【００４８】
第３に、制御装置６０は、冷水温度計５４で検出される温度の目標値を、設定されている温度よりも上げる。つまり、蒸発器２０に対する冷水Ｃの入口温度と出口温度との差が小さくなるように冷水Ｃの出口温度の設定値を変更する。典型的には、設定温度の変更分は、概ね０．３〜０．５℃程度である。冷水温度計５４で検出される温度の目標値を設定温度よりも上げると、吸収液Ｓの濃度が過度に濃くなることを抑制することができる。
【００４９】
第４に、制御装置６０は、冷却水ポンプ９１の回転速度を上昇させて、吸収器１０及び凝縮器４０に供給される冷却水Ｄの流量を増加させる。冷却水Ｄの流量を増加させると、吸収器１０における吸収熱及び凝縮器４０における凝縮熱の除去する量を増加させることができ、吸収液Ｓと冷媒Ｖとの吸収冷凍サイクルを適切に行わせることができて、吸収液Ｓの濃度が過度に濃くなることを抑制することができる。
【００５０】
第５に、制御装置６０は、冷却塔９３のファンの回転速度を上昇させて、吸収器１０及び凝縮器４０に供給される冷却水Ｄの温度を低下させる。冷却水Ｄの温度を低下させると、吸収器１０における吸収熱及び凝縮器４０における凝縮熱の除去する量を増加させることができ、吸収液Ｓと冷媒Ｖとの吸収冷凍サイクルを適切に行わせることができて、吸収液Ｓの濃度が過度に濃くなることを抑制することができる。
【００５１】
なお、定格出力よりも大きい出力での吸収冷凍機１の運転が求められたために、加熱源調節弁３３の開度を大きくして加熱部３１における加熱量を増大した場合は、吸収液Ｓの濃縮が促進されるため、上述の第１から第５の措置を講じた場合であっても、吸収冷凍機１の適切な運転を継続することが困難になる場合がある。吸収冷凍機１の適切な運転を継続することが困難になる要因として、例えば、吸収液Ｓが結晶するおそれが生じる程の吸収液Ｓの濃度及び／又は吸収液Ｓの温度の過度の上昇、吸収冷凍機１の圧力が最も高くなる部分の圧力の上昇等が挙げられる。本実施の形態では、吸収冷凍機１の適切な運転の継続の可否を判断するために、吸収液Ｓの濃度が最も高くなる再生器３０出口の濃溶液Ｓａの温度を検出する濃溶液温度計５１及び濃度を検出する濃溶液濃度計５３、吸収冷凍機１の圧力が最も高くなる再生器３０の内部圧力を検出する再生器圧力計５５、吸収器缶胴１７内の希溶液Ｓｗの液位を検出する希溶液位計１６、吸収冷凍機１内の冷媒液Ｖｆの液位を検出する蒸発器冷媒液位計２５及び凝縮器冷媒液位計４５が設けられている。ここで、濃溶液温度計５１、濃溶液濃度計５３、再生器圧力計５５、希溶液位計１６、蒸発器冷媒液位計２５、凝縮器冷媒液位計４５は、それぞれ、監視物理量検出部に相当する。
【００５２】
本実施の形態では、安全制御部６５が、各監視物理量検出部で検出した物理量が許容される上限値を超えたか否かを判断しており、各監視物理量検出部で検出した物理量のうちの１つ以上が、許容される上限値を超えたときに、安全制御部６５が吸収冷凍機１の運転を停止させる指令を出し、制御装置６０が吸収冷凍機１を停止させることで、吸収冷凍機１を保護することとしている。しかしながら、吸収冷凍機１が停止すると、冷水Ｃの供給も停止することとなり、冷水Ｃの供給先の熱負荷をまったく処理することができなくなってしまうため、吸収冷凍機１が停止することを極力回避することが好ましい。そこで、本実施の形態では、以下のような制御を行うこととしている。
【００５３】
図２は、安全制御部６５の指令に基づく吸収冷凍機１の停止を極力回避する制御を説明するフローチャートである。制御装置６０は、吸収冷凍機１の運転中、冷水温度計５４で検出した温度をあらかじめ設定された温度とするときに加熱部３１に導入する加熱源流体Ｈの流量を算出する（設定値に基づく加熱源流体Ｈ流量算出工程：Ｓ１）。また、制御装置６０は、各監視物理量検出部で検出した物理量が上限値となるときに加熱部３１に導入する加熱源流体Ｈの流量をそれぞれ算出する（各物理量が上限値となる加熱源流体Ｈ流量算出工程：Ｓ２）。なお、図２では、設定値に基づく加熱源流体Ｈ流量算出工程（Ｓ１）の後に、各物理量が上限値となる加熱源流体Ｈ流量算出工程（Ｓ２）を行うように示しているが、この順番を逆にして工程（Ｓ２）の後に工程（Ｓ１）を行うこととしてもよく、あるいは工程（Ｓ１）と工程（Ｓ２）とを並行して行うこととしてもよい。
【００５４】
設定値に基づく加熱源流体Ｈの流量と各物理量が上限値となる加熱源流体Ｈの流量とを算出したら、制御装置６０は、算出した加熱源流体Ｈの流量のうちの最小の加熱源流体Ｈを加熱部３１に導入するように、加熱源調節弁３３の開度を調節する（加熱源調節弁３３制御工程：Ｓ３）。このような制御を行うことにより、最小の加熱源流体Ｈ流量が設定値に基づく加熱源流体Ｈ流量の場合は、安全制御部６５による吸収冷凍機１の停止指令が発令されずに冷水Ｃの温度を設定値にすることができる。また、最小の加熱源流体Ｈ流量が、各監視物理量検出部で検出した物理量のいずれかが上限値となる加熱源流体Ｈ流量の場合は、冷水Ｃの温度が設定値まで至らないものの、安全制御部６５による吸収冷凍機１の停止指令が発令されるのを回避して吸収冷凍機１の適切な運転を継続することができる。
【００５５】
加熱源調節弁３３の開度を調節したら（Ｓ３）、安全制御部６５は、各監視物理量検出部で検出した物理量のいずれかが上限値を超えたか否かを判断する（Ｓ４）。加熱源調節弁３３制御工程（Ｓ３）において、各監視物理量検出部で検出した物理量が上限値を超えないように加熱源調節弁３３の開度を調節しているが、何らかの事情により上限値を超えた場合は吸収冷凍機１を保護する措置を講ずることができるように、この判断（Ｓ４）を行っている。安全制御部６５は、いずれかの物理量が上限値を超えたと判断したら、制御装置６０に吸収冷凍機１を停止させる指令を発令し、制御装置６０は安全制御部６５からの指令に基づいて吸収冷凍機１を停止させる（Ｓ６）。他方、どの物理量も上限値を超えていない場合、制御装置６０は、通常運転における吸収冷凍機１の停止指令があったか否かを判断する（Ｓ５）。通常運転における停止とは、吸収冷凍機１の継続的な運転が可能な状態で、熱負荷が減少した等の冷水Ｃ利用側の都合によって行われる吸収冷凍機１の停止である。通常運転における停止指令があった場合、制御装置６０は、吸収冷凍機１を停止させる（Ｓ６）。他方、通常運転における停止指令がない場合、再び設定値に基づく加熱源流体Ｈ流量算出工程（Ｓ１）に戻り、以降、上述のフローを繰り返す。
【００５６】
図３に、上述の制御の一例のタイムチャートを示す。図３は、時間を横軸に取り、算出された加熱源流体Ｈの流量を縦軸に取っている。図３中、実線Ｌｒは設定値に基づく加熱源流体Ｈの流量を示しており、一点鎖線Ｌｓは各監視物理量検出部で検出した物理量が上限値となる加熱源流体Ｈの流量のうち最小となるものを示している。図３に示す例では、時刻ｔ１までは、実線Ｌｒが一点鎖線Ｌｓよりも小さいので、制御装置６０は、設定値に基づいて算出された加熱源流体Ｈの流量を加熱部３１に導入するように加熱源調節弁３３の開度を制御している。時刻ｔ１から時刻ｔ２までは、一点鎖線Ｌｓが実線Ｌｒよりも小さいので、制御装置６０は、検出した物理量が上限値となる加熱源流体Ｈの流量を加熱部３１に導入するように加熱源調節弁３３の開度を制御している。そして、時刻ｔ２以降は、再び実線Ｌｒが一点鎖線Ｌｓよりも小さくなっているので、制御装置６０は、設定値に基づいて算出された加熱源流体Ｈの流量を加熱部３１に導入するように加熱源調節弁３３の開度を制御している。なお、図３に示す例では、時刻ｔ３において、制御装置６０は、通常運転における停止指令を受けたので、加熱源調節弁３３を全閉に向けて閉じ始め、加熱部３１への加熱源流体Ｈの供給量を減らしている。このようにして、安全装置の作動を回避しつつ、冷水Ｃの温度ができるだけ設定値に近づくようにしている。
【００５７】
ところで、定格出力よりも大きい出力で運転すべき指令を受け、加熱源調節弁３３の開度の調節を、定格上限値を超えて過大上限値の範囲内で行う場合は、吸収冷凍機１の効率が低下するため、極力避けることが好ましい。そこで、本実施の形態では、定格出力よりも大きい出力で運転すべき指令を受けてから所定の時間が経過したとき、又は、定格出力よりも大きい出力で運転すべき指令を受けた時間の累計が所定の累計時間を超えたときに、加熱源調節弁３３の開度の調節を定格上限値の範囲内で行うように戻すこととしている。所定の累計時間は、ある定まった期間（例えば１月や１年等）が経過したときにリセットされることとしてもよい。このようにすることで、吸収冷凍機１の非効率な運転が長期化することを回避することができる。なお、加熱源調節弁３３の開度の調節を過大上限値の範囲内で行っている際、定格出力よりも大きい出力で運転すべき指令がなくなったときに加熱源調節弁３３の開度の調節を定格上限値の範囲内で行うように戻すことはいうまでもない。
【００５８】
以上で説明したように、本実施の形態に係る吸収冷凍機１によれば、定格出力よりも大きい出力で運転することができるので、定格運転時の容量が、処理すべき最大熱負荷よりも小さい機器を選定することができ、吸収冷凍機１の小型化を図ることができる。また、定格出力よりも大きい出力で運転すべき指令を受けたときに、濃溶液Ｓａ及び希溶液Ｓｗの循環流量を増大させるので、吸収液Ｓの濃度が過度に濃くなることを抑制することができると共に、再生器缶胴３７内の圧力の上昇を抑制することができる。また、定格出力よりも大きい出力で運転すべき指令を受けたときに、蒸発器２０に対する冷水Ｃの入口温度と出口温度との差が小さくなるように冷水Ｃの出口温度の設定値を変更し、吸収器１０及び凝縮器４０に供給される冷却水Ｄの流量を増加させ、吸収器１０及び凝縮器４０に供給される冷却水Ｄの温度を低下させることも、吸収液Ｓの濃度が過度に濃くなることを抑制することに寄与する。
【００５９】
以上の説明では、監視物理量検出部で検出されて安全制御部６５が監視する物理量の一つとして再生器３０の内部圧力を再生器圧力計５５で検出することとしたが、これに代えて再生器３０の内部圧力に関連する物理量を検出することとしてもよい。再生器３０の内部圧力に関連する物理量として、例えば冷媒Ｖの露点温度に相当する再生器冷媒蒸気Ｖｇの温度が挙げられる。なお、吸収式冷凍機が第２種吸収ヒートポンプである場合は、最も内部圧力が高くなる主要構成部材である吸収器の内部圧力又は吸収器の内部圧力に関連する物理量を検出するとよい。
【００６０】
以上の説明では、監視物理量検出部が、希溶液位計１６、蒸発器冷媒液位計２５、凝縮器冷媒液位計４５、濃溶液温度計５１、濃溶液濃度計５３、再生器圧力計５５を含んでいることとしたが、これらのうちの少なくとも１つを有していれば、使用しないものを省略してもよい。
【００６１】
以上の説明では、安全制御部６５が、監視している物理量が許容される上限値を超えたときに、吸収冷凍機１の運転を停止させる指令を制御装置６０に出すこととしたが、吸収冷凍機１の運転を停止させる指令を出すことに代えて、加熱部３１に流入する加熱源流体Ｈの流量を所定の流量に制限する指令を出すこととしてもよい。所定の流量は、吸収冷凍機１の適切な運転を確実に行うことができる程度まで出力を低下させることとなる加熱源流体Ｈの流量である。安全制御部６５が監視している物理量が許容される上限値を超えたときに加熱部３１に流入する加熱源流体Ｈの流量を所定の流量に制限する指令を出す場合、図２に示すフローチャートでは、各監視物理量検出部で検出した物理量のいずれかが上限値を超えたか否かを判断する工程（Ｓ４）において、いずれかの物理量が上限値を超えたと判断したら、吸収冷凍機１を停止させる工程（Ｓ６）には進まずに、制御装置６０が安全制御部６５から受けた指令に基づいて加熱部３１に流入する加熱源流体Ｈの流量を所定の流量に制限するように加熱源調節弁３３の開度を制御し、その後、各監視物理量検出部で検出した物理量のいずれかが上限値を超えたか否かを判断する工程（Ｓ４）に戻るようにするとよい。
【００６２】
以上の説明では、加熱源が加熱源流体Ｈであるとしたが、加熱源は固形燃料等の固体であってもよい。
【００６３】
以上の説明では、基準位置を吸収冷凍機１の出口として、冷水温度計５４（温度調節対象流体温度検出部）が冷水出口管２１ｂに設けられているとしたが、基準位置を吸収冷凍機１の入口として冷水温度計５４が冷水入口管２１ａに設けられることとしてもよい。また、温度調節対象流体温度検出部は、冷水Ｃの温度を直接検出する冷水温度計５４に代えて、冷水Ｃの温度を間接的に検出するものであってもよい。
【００６４】
以上の説明では、冷却水Ｄが、吸収器１１に導入された後に凝縮器４０に導入される構成を例示したが、凝縮器４０に導入された後に吸収器１１に導入される構成であってもよく、吸収器１０と凝縮器４０とに並列に導入される構成であってもよい。
【００６５】
以上の説明では、冷却水ポンプ９１及び冷水ポンプ９２が吸収冷凍機１の構成要素ではないものとしたが、冷却水ポンプ９１及び／又は冷水ポンプ９２を吸収冷凍機１の構成要素として備えることとしてもよい。しかしながら、冷却水ポンプ９１が流動させる冷却水Ｄ、及び冷水ポンプ９２が流動させる冷水Ｃは、吸収冷凍機１が設置される場所等の条件によって供給先までの搬送距離や流量等が異なるのが一般的なため、冷却水ポンプ９１及び冷水ポンプ９２を吸収冷凍機１の構成要素とはせず、吸収冷凍機１の設置場所等に適した能力のものを選定できるようにするのが好ましい。
【００６６】
以上の説明では、理解の容易のために、吸収冷凍機１が単効用の構成であるとしたが、複数の再生器を有する多重効用の吸収冷凍機、あるいは、動作圧力の異なる複数の蒸発器／吸収器を有する吸収冷凍機にも適用することができる。
【００６７】
以上の説明では、吸収式冷凍機が吸収冷凍機であるとして説明したが、吸収冷温水機、吸収ヒートポンプ等、吸収液Ｓと冷媒Ｖとの吸収サイクルが行われる他の吸収式熱源機であってもよい。
【符号の説明】
【００６８】
１    吸収冷凍機
１０  吸収器
１５  濃溶液調節弁
１９  溶液ポンプ
２５  蒸発器冷媒液位計
３０  再生器
３３  加熱源調節弁
４０  凝縮器
４５  凝縮器冷媒液位計
５１  濃溶液温度計
５３  濃溶液濃度計
５４  冷水温度計
６０  制御装置
６５  安全制御部
９１  冷却水ポンプ
９３  冷却塔
Ｃ    冷水
Ｄ    冷却水
Ｈ    加熱源
Ｓ    吸収液
Ｓａ  濃溶液
Ｓｗ  吸収液
Ｖ    冷媒
Ｖｅ  蒸発器冷媒蒸気
Ｖｆ  冷媒液
Ｖｇ  再生器冷媒蒸気
【図１】
2019020026.tif 000003
【図２】
2019020026.tif 000004
【図３】
2019020026.tif 000005